(57)【要約】      （修正有）【課題】パワーアシスト型の身体装着型羽ばたき飛行具およびこれの飛行を容易にする飛行支援装置を提供する。【解決手段】身体装着型羽ばたき飛行具では、身体装着背面ボード３に羽ばたき肩軸２を介して羽ばたき翼１を設け、これに内蔵した圧風噴射機４を、ハンドル７で傾け自在に設けている。これにより羽ばたき翼を上げたり下げたりする。更に駆動用モーター９３、クラッチ９４で、羽ばたき翼１を上下動補助させるようにもしてある。また、飛行支援装置では、接近磁石と首振駆動車輪とを設けた走行板の下方にトルク伝達具及びコ字型吊下板を介してボディボードが設けられてなる。【選択図】図１
2014227102.tif 000002
【特許請求の範囲】
【請求項１】
圧風噴射機４と手動羽ばたき翼１とを併せ持つ身体装着型羽ばたき飛行具。
【請求項２】
圧風噴射機４が手動羽ばたき翼１に内蔵され、可動に手動操作しうるようになされて成る請求項１に記載の身体装着型羽ばたき飛行具。
【請求項３】
圧風噴射機４が手動羽ばたき翼に設けられたハンドル７により操作しうるようになされた上記請求項１に記載の身体装着型羽ばたき飛行具。
【請求項４】
上記圧風噴射機がジェットエンジンであることを特徴とする請求項１乃至３に記載の身体装着型羽ばたき飛行具。
【請求項５】
上記圧風噴射機が手動羽ばたき翼にパイプ送風しうるようになられたことを特徴とする請求項１に記載の身体装着型羽ばたき飛行具。
【請求項６】
羽ばたき軸２の設けられた羽ばたき翼１がハンドル７により上下両方向に運動しうるようになされ、圧風噴射機４から運動補助されるようになされた請求項４に記載の身体装着型羽ばたき飛行具。
【請求項７】
請求項１乃至６の身体装着型羽ばたき飛行具が座り捻り駆動座布団機構に載置され、トルク伝達具を介して駆動走行しうるようになされた飛行支援装置。 
【発明の詳細な説明】
【技術分野】
【０００１】
この発明は身体に装着して飛行する身体装着型飛行具及びこの飛行具を飛行させる飛行支援装置に関している。        
【背景技術】
【０００２】
従来は、手動の羽ばたき装置であった。
【先行技術文献】
【特許文献】
【０００３】
【特許文献１】特願２０１２−１４６８５０号
【特許文献２】特開平０９−２６６９３２号公報
【特許文献３】特開２００２−３０２３９９号公報
【発明の概要】
【発明が解決しようとする課題】
【０００４】
従来の人力飛行機（文献１）は、腕力だけで羽ばたき飛行しようとするものであるから、パワー不足のため、人力飛行がうまく出来ず、離陸したい時、曲がりたい時や停まりたい時に、操作ができにくく、墜落しやすいという問題点があった。  
また、従来の天井吊り下げ型人体浮上支援装置（文献２，３）は吊り下げロープが一本なので、不安定で転倒しやすく、危険であるというという問題点があった。
【課題を解決するための手段】
【０００５】
発明者は、請求項１において、圧風噴射機４と手動羽ばたき翼１とを併せ持つ身体装着型羽ばたき飛行具とした。
【０００６】
発明者は、請求項２において、圧風噴射機４を手動羽ばたき翼１に内蔵し、可動に手動操作しうるようになして、手動羽ばたき翼１を上下に強力に羽ばたけるようにした。
【０００７】
また、発明者は、請求項３において、圧風噴射機４を手動羽ばたき翼に設けられたハンドル７により操作しうるようになし、これにより該羽ばたき翼１を上下に強力に動くようにした。
【０００８】
発明者は、請求項４において、圧風噴射機４をジェットエンジンとなした。
【０００９】
発明者は、請求項５において、圧風噴射機４が手動羽ばたき翼１にパイプ送風しうるようになした。
【００１０】
発明者は、請求項６において、首振駆動車輪１１をつけた走る座布団走行板１０にトルク伝達具をつけて、天井を吸着磁石走行する、捻り駆動座布団風（特許４１７８１９８号）となした。  
【発明の効果】
【００１１】
請求項１の発明は、圧風噴射機４と手動羽ばたき翼１とを併せ持つ身体装着型羽ばたき飛行具としたので、羽ばたき翼１を効果的に駆動でき、飛行運転が容易になった。
【００１２】
請求項２の発明は、圧風噴射機４が手動羽ばたき翼１に内蔵され、可動に手動操作しうるようになされた身体装着型羽ばたき飛行具としたので、羽ばたき翼１を効果的に駆動でき、運転が容易になった。
【００１３】
請求項３の発明は、圧風噴射機４が手動羽ばたき翼１に設けられたハンドル７により操作しうるようになされた身体装着型羽ばたき飛行具としたので、羽ばたき翼を効果的に駆動でき運転が容易になった。
【００１４】
請求項４の発明は、圧風噴射機４をジェットエンジンとしたから、効果的に羽ばたき運動ができ、運転が容易になった。
【００１５】
請求項５の発明は、圧風噴射機４が手動羽ばたき翼１にパイプ送風しうるようになしたから、効果的に羽ばたき翼１を動かせ、運転が容易になった。
【００１６】
請求項６の発明は、身体装着型羽ばたき飛行具が接近磁石１３と首振駆動キャスター１１を有し、トルク伝達具を介して駆動走行しうるようになした飛行支援装置としたから、安全に滑走して容易に離陸できるようになった。
【図面の簡単な説明】
【００１７】
【図１】本発明実施例１の平面図
【図２】本発明実施例１の正面図
【図３】本発明実施例２の平面図
【図４】本発明実施例２の正面図
【図５】本発明実施例３の平面図
【図６】本発明実施例３の正面図
【図７】本発明実施例３の側面図
【図８】本発明実施例４の側面図
【図９】本発明飛行支援装置第１実施例の側面図
【発明を実施するための最良の形態】
【００１８】
図１（ａ）（ｂ）に本発明身体装着型羽ばたき飛行具の第１実施例を説明する。
【実施例１】
【００１９】
図１、図２に本発明の第１実施例を示し、１は羽ばたき翼、２は羽ばたき肩軸、３は身体装着背面ボードで羽ばたき肩軸２を設けている。４は圧風噴射機で模型飛行機用ジェットエンジンを採用している。７はハンドルで傾け自在に設けられている。７０はクラッチレバー、９１は、ポール、９２は復元伸縮部材で羽ばたき翼を跳ね上げる、９３は駆動用モーター、９４はクラッチである。モーター９３からの動力はクラッチレバー７０を握ると羽ばたき翼１を下降させ、離すと復元伸縮部材９２の作用で上昇する。
【００２０】
羽ばたき翼１は羽ばたき肩軸２を支点にして羽ばたき運動をなしうるようになされ、身体装着背面ボード３に保持されている。羽ばたき翼１の内部に圧風噴射機４がもうけられ、回転軸６を介して、ハンドル７により回動自在に操作しうるようになされている。
【００２１】
ハンドル７に設けられたクラッチレバー７０は、羽ばたき翼１の駆動用モーター９３からの動力をクラッチ９４によりオン・オフしうるようになされ、クラッチレバー７０を握って振り下ろし、緩めて跳ね上げるようになされている。振り下ろしの際、ハンドル７を前傾させてジェットエンジン４に下降力を発生させ、振り上げの際、ハンドル７を後傾させて、ジェットエンジン４に上昇力を発生させる。
【００２２】
身体装着背面ボード３を装着した運転者は、両手でハンドル７を掴み、ジェットエンジン４の傾きを変えて羽ばたき翼１を容易に上昇・下降させ、飛行することができる。
【実施例２】
【００２３】
図２（ａ）（ｂ）に身体装着型飛行具の第２の実施例を示す。図１、図２に本発明の第２実施例を示し、１は羽ばたき翼、２は羽ばたき軸、３は身体装着背面ボード、４は圧風噴射機で模型飛行機用エンジンプロペラ採用、７はハンドル、７０はクラッチレバー、９１は、ポール、９２は復元伸縮部材で羽ばたき翼を跳ね上げる、９３はモーター、９４はクラッチである。
【００２４】
羽ばたき翼１は羽ばたき肩軸２を支点にして羽ばたき運動をなしうるようにされ、身体装着背面ボード３に保持されている。羽ばたき翼１の内部に圧風噴射機４としてエンジンプロペラがもうけられ、回転軸６を介して、ハンドル７により回動自在に操作しうるようになされている。
【００２５】
ハンドル７に設けられたクラッチレバー７０は、羽ばたき翼の駆動用モーター９３からの動力をクラッチ９４によりオン・オフしうるようになされ、クラッチレバー７０を握って振り下ろし、緩めて跳ね上げるようになされている。振り下ろしの際、ハンドル７を前傾させてエンジンプロペラ４に下降力を発生させ、振り上げの際、ハンドル７を後傾させて、エンジンプロペラ４に上昇力発生させる。
【００２６】
身体装着背面ボード３を装着した運転者は、両手でそれぞれハンドル７を掴み、エンジンプロペラ４の傾きを変えて羽ばたき翼１を動かし、容易に上昇・下降・旋回などの飛行運転をすることができる。
【実施例３】
【００２７】
図５・図６・図７に本発明身体装着型飛行具の第３実施例を示す。
１は羽ばたき翼、２は羽ばたき肩軸、３は身体装着背面ボード、４は圧風噴射機で模型飛行機用ジェットエンジン採用、５はフレキシブルチューブ、６は操作パイプ、７はハンドル、７０はクラッチレバー、８は噴出孔、９１は、ポール、９２は復元伸縮部材で羽ばたき翼を跳ね上げる。９３はモーター、９４はクラッチである。
【００２８】
羽ばたき翼１は羽ばたき肩軸２を支点にして羽ばたき運動をなしうるようになされ、身体装着背面ボード３に保持されている。羽ばたき翼１の内部にジェットエンジン４が回転軸６を介して、ハンドル７により回動自在に操作しうるように設けられている。
【００２９】
ハンドル７に設けられたクラッチレバー７０は、羽ばたき翼の駆動用モーター９３からの動力をクラッチ９４によりオン・オフしうるようになされ、クラッチレバー７０を握って振り下ろし、緩めて跳ね上げるようになされている。振り下ろしの際、ハンドル７を前傾回動させて噴出孔８に上昇風を発生させ、振り上げの際、ハンドル７を後傾回動させて、噴出孔８に下降風を発生させることにより動力アシストを得る。
【００３０】
身体装着背面ボード３を装着した運転者は、両手でハンドル７を掴み、ジェットエンジン４の傾きを変えて羽ばたき翼１を容易に上昇・下降させ、飛行することができる。
【実施例４】
【００３１】
図８に本発明身体装着型羽ばたき飛行具の第４実施例を示す。
１は羽ばたき翼、２は羽ばたき肩軸、３は身体装着背面ボード、４は圧風噴射機でエンジンブロア採用、４２はエンジン、４４は排出パイプ、７はハンドル。
【００３２】
羽ばたき翼１は羽ばたき軸２を支点にして羽ばたき運動をなしうるようになされ、身体装着背面ボード３に保持されている。身体装着背面ボード３の反対側に圧風噴射機として園芸用エンジンブロア４が採用され、前記実施例と同様フレキシブルパイプ５及び操作パイプ６を介して噴出孔８に連結し、ハンドル７により噴出孔８を回動自在に操作しうるようになされている。
【００３３】
運転者は振り下ろしの際、ハンドル７を前傾させて噴出孔８を上に向け、羽ばたき翼１に下降力を発生させ、振り上げの際、ハンドル７を後傾させて噴出孔８を下に向け、羽ばたき翼１に上昇力を発生させる。
【００３４】
身体装着背面ボード３及び圧風噴射機４を装着した運転者は、両手でハンドル７を掴み、傾きを変えて羽ばたき翼１を容易に上昇・下降させ、飛行することができる。
【実施例５】
【００３５】
図９に本発明飛行支援走行装置の第１実施例を示す。
１は羽ばたき翼１、２は羽ばたき肩軸、３は身体装着背面ボード、４は圧風噴射機、５は走行板、７はハンドル、１０は天井走行ボード、１１は首振駆動キャスター、１２は鉄板天井、１３は接近磁石、１４はコ字型吊り下げ板、１５はボディボードである。
【００３６】
本実施例では、走る座布団（特許４１７８１９８）の技術が使われており、接近磁石１３と首振駆動キャスター１１とを設けた天井走行ボード１０の下方にトルク伝達具とコ字型吊り下げ板１４を介してボディボード１５が設けられている。
【００３７】
パイロットは身体を捻ってトルク伝達具とコ字型吊り下げ板１４により天井走行ボード１０を前方に駆動走行させ、徐々に加速して、羽ばたき飛行に至るのである。
【産業上の利用可能性】
【００３８】
本発明身体装着型飛行具を装着して、本発明飛行支援走行装置から、人が容易に鳥のように空を羽ばたいて飛ぶことが出来る。
また、本発明飛行支援走行装置を利用して、本発明飛行具で充分飛行練習した後、容易に離陸して安全に空中に飛び出すことも出来る。
【符号の説明】
【００３９】
１  羽ばたき翼
２  羽ばたき肩軸            
３  身体装着背面ボード
４  圧風噴射機
７  操作ハンドル
８  噴出孔
【図１】
2014227102.tif 000003
【図２】
2014227102.tif 000004
【図３】
2014227102.tif 000005
【図４】
2014227102.tif 000006
【図５】
2014227102.tif 000007
【図６】
2014227102.tif 000008
【図７】
2014227102.tif 000009
【図８】
2014227102.tif 000010
【図９】
2014227102.tif 000011